(57)【要約】【課題】塗布材の試供品配布の手間を軽減することができる塗布具を提供する。【解決手段】塗布具１は、成形された固形の塗布材からなる塗布材成形体３と、塗布材成形体３を収容する円筒状のケース５と、塗布材成形体３をケース５の筒軸線方向に駆動し塗布材成形体３の先端を容器の先端から出没させる駆動機構１０と、を備える。塗布材成形体３は、塗布材本体部３ａと、この塗布材本体部３ａよりも後方に位置すると共に塗布材本体部３ａとは異なる塗布材材料からなる試用塗布材部３ｂと、を有する。【選択図】図１
2010214700.tif 000002
【特許請求の範囲】
【請求項１】
成形された固形の塗布材からなる塗布材成形体と、
前記塗布材成形体を収容する筒状の容器と、
前記塗布材成形体を前記容器の筒軸線方向に駆動し前記塗布材成形体の先端を前記容器の先端から出没させる塗布材駆動機構と、を備えた塗布具であって、
前記塗布材成形体は、
第１の材料からなる第１の塗布材部と、
前記第１の塗布材部よりも前記容器の後端側に位置すると共に、前記第１の塗布材部とは異なる第２の材料からなる第２の塗布材部と、
を有することを特徴とする塗布具。
【請求項２】
前記塗布材駆動機構は、
前記先端側に前記塗布材成形体が固定され前記容器内で前記筒軸線方向に移動する台座部を有し、
前記台座部の前記先端側の面には凹部が形成されており、
前記第１の塗布材部の後端は、前記先端側の面に固定され、
前記第２の塗布材部は、前記凹部に埋め込まれていることを特徴とする請求項１に記載の塗布具。
【発明の詳細な説明】
【技術分野】
【０００１】
本発明は、筒状の容器の先端から塗布材成形体の先端を出没させて用いられる塗布具に関するものである。
【背景技術】
【０００２】
従来、このような分野の技術として、下記特許文献１に記載の塗布具が知られている。この塗布具は、円筒形のハウジングに接着剤本体が収容されており、ハウジングにはスピンドル駆動機構が設けられている。そして、スピンドル駆動機構によって接着剤本体がハウジングの筒軸線方向に移動し、接着剤本体の先端がハウジングの先端から突出することで、対象物への接着剤の塗布が可能になる。
【先行技術文献】
【特許文献】
【０００３】
【特許文献１】特表２００４−５０８２３２号公報
【発明の概要】
【発明が解決しようとする課題】
【０００４】
ところで、このような塗布具等の消耗品にあっては、ユーザは定期的に商品を買い換えることになるため、メーカにおいては、販促活動が重要視されている。この種の販促活動としては、例えば、マスメディアによる広告等も考えられるが、特に、新製品が開発された場合等には、ユーザに試供品を配布する方法が効果的である。例えば、ある商品を購入したユーザに対して、販売者が他の銘柄の商品の試供品を添付するといった手法が一般的であるが、このような手法では、販売者における試供品配布の手間が大きかった。
【０００５】
そこで、本発明は、塗布材の試供品配布の手間を軽減する塗布具を提供することを目的とする。
【課題を解決するための手段】
【０００６】
本発明の塗布具は、成形された固形の塗布材からなる塗布材成形体と、塗布材成形体を収容する筒状の容器と、塗布材成形体を容器の筒軸線方向に駆動し塗布材成形体の先端を容器の先端から出没させる塗布材駆動機構と、を備えた塗布具であって、塗布材成形体は、第１の材料からなる第１の塗布材部と、第１の塗布材部よりも容器の後端側に位置すると共に、第１の塗布材部とは異なる第２の材料からなる第２の塗布材部と、を有することを特徴とする。
【０００７】
このような塗布具によれば、当該塗布具における製品本来の塗布材を第１の塗布材部として設定し、塗布材の試供品を第２の塗布材部として設定することができる。従って、製品本来の塗布材を使用するために当該塗布具を入手したユーザに対して、自動的に他の塗布具の試供品が配布されることになる。その結果、塗布具の試供品の配布の手間を低減することができる。また、この場合、本来の塗布材の奥側に試供品の塗布材が位置しているので、本来の塗布材が、ある程度消耗されたときに、試供品が使用可能な位置に現れることになる。従って、ユーザにおける塗布具の買い換えのタイミングに合わせて試供品が提示され、高い販促効果を得ることができる。
【０００８】
また、塗布材駆動機構は、先端側に塗布材成形体が固定され容器内で筒軸線方向に移動する台座部を有し、台座部の先端側の面には凹部が形成されており、第１の塗布材部の後端は、上記先端側の面に固定され、第２の塗布材部は、上記凹部に埋め込まれていることとしてもよい。この構成によれば、第１の塗布材部の使用終了間際において第２の塗布材部が邪魔になりにくい。
【発明の効果】
【０００９】
本発明の塗布具によれば、塗布材の試供品配布の手間を軽減することができる。
【図面の簡単な説明】
【００１０】
【図１】本発明に係る塗布具の第１実施形態を示す分解斜視図である。
【図２】図１の塗布具の断面図である。
【図３】本発明に係る塗布具の第２実施形態を示す分解斜視図である。
【発明を実施するための形態】
【００１１】
以下、図面を参照しつつ本発明に係る塗布具の好適な実施形態について詳細に説明する。
【００１２】
（第１実施形態）
図１及び図２に示す塗布具１は、棒状（ここでは、円柱形状）に成形された固形の塗布材からなる塗布材成形体３と、この塗布材成形体３の長手方向に延在し塗布材成形体３を収容する筒状（ここでは、円筒状）のケース５とを備えている。この塗布具１では、塗布材成形体３の前端をケース５前端の開口５ａから突出させ、突出した塗布材成形体３の前端を対象物に直接接触させることで、対象物に塗布材を塗布することができる。また、塗布具１の保管時には、塗布材成形体３がケース５内に完全に格納され、ケース５の先端には、塗布材成形体３の乾燥を防止するため、開口５ａを塞ぐキャップ７が取り付けられる。
【００１３】
このように開口５ａから塗布材成形体３を出没させる機構として、塗布具１は、塗布材成形体３をケース５の筒軸線Ａ方向に前後移動するための駆動機構１０を備えている。この駆動機構１０は、中央に雌ネジが形成された円板状の台座部１１と、筒軸線Ａに沿って延在し台座部１１の雌ネジに螺合するリードスクリュー１２と、を有している。台座部１１の前面１１ａ側には塗布材成形体３が固定されている。
【００１４】
リードスクリュー１２は、台座部１１を貫通し塗布材成形体３の中心に挿入されて、ケース５の後端から開口５ａの直近まで延びている。更に駆動機構１０は、リードスクリュー１２の基端側に固定されケース３の後方に接続される円柱形状の操作部１３を有している。台座部１１の周面には、等間隔に配置され筒軸線Ａ方向に延びる３本のガイド溝１１ｃが形成されている。これに対応して、ケース５の内壁面には、筒軸線Ａ方向に延びそれぞれ上記ガイド溝１１ｃに係合する３本のガイドレール５ｃが形成されている。上記ガイド溝１１ｃ及びガイドレール５ｃにより、台座部１１の移動が筒軸線Ａ方向に規制される。また、この台座部１１の中央には、前面１１ａから掘り下げられ形成された円形の凹部１１ｄが設けられている。
【００１５】
このような駆動機構１０の構成に基づき、操作部１３がケース３に対して筒軸線Ａ周りに矢印Ｂ方向に回転すると、リードスクリュー１２が操作部１３と同じ角度でＢ方向に回転する。このリードスクリュー１２の回転に伴い、台座部１１は、ガイドレール５ｃに案内されながら前方に平行移動する。そして、塗布材成形体３は、後方の台座部１１によって前方に押し出され、開口５ａから先端を突出させる。
【００１６】
ここで、上記塗布材成形体３は、同じ用途で材料が異なる２つの塗布材の部分を有している。すなわち、塗布材成形体３は、当該塗布具１における製品本来の塗布材の材料（第１の材料）からなる塗布材本体部（第１の塗布材部）３ａと、この塗布材本体部３ａとは異なる第２の塗布材の材料からなる試用塗布材部（第２の塗布材部）３ｂと、を有している。この試用塗布材部３ｂは、当該塗布具１を入手したユーザに試用させるための試供品としての機能を有する。塗布材本体部３ａは台座部１１の前面１１ａに固定されており、試用塗布材部３ｂは台座部１１の凹部１１ｄに埋め込まれている。なお、塗布材本体部３ａと試用塗布材部３ｂとの材料の混合防止のために、塗布剤本体部３ａと試用塗布材部３ｂとの間に、円板状又はフィルム状の仕切を挿入してもよい。
【００１７】
このような塗布具１の構成によれば、ユーザの使用により塗布材本体部３ａが消耗されていくと、塗布材本体部３ａの使用終了間際に試用塗布材部３ｂが現れるので、ユーザは、この試用塗布材部３ｂの塗布材を試用することができる。このように、この塗布具１によれば、塗布材本体部３ａの使用を目的として当該塗布具１を入手したユーザに対して、自動的に試供品（試用塗布材部３ｂ）が配布されることになる。従って、塗布具の試供品の配布の手間を低減することができる。
【００１８】
また、この場合、塗布材本体部３ａよりも奥側に試用塗布材部３ｂが位置しているので、製品本来の塗布材（塗布材本体部３ａ）が、ある程度消耗されたときに、試供品（試用塗布材部３ｂ）が使用可能な位置に現れることになる。従って、ユーザにおける塗布具の買い換えのタイミングに合わせて試供品が提示され、高い販促効果を得ることができる。
【００１９】
また、塗布材本体部３ａが台座部１１の前面１１ａに固定され、試用塗布材部３ｂが台座部１１の凹部１１ｄに埋め込まれる構成により、塗布材本体部３ａの使用終了間際において試用塗布材部３ｂが邪魔になりにくい。
【００２０】
このような構成の塗布具１は、例えば、スティック状の固形の塗り薬を塗布するための塗布具に適用される。例えば、患者に処方する塗り薬を塗布材本体部３ａに設定し、塗布剤本体部３ａの塗り薬よりも強い効果を示す成分の塗り薬を試用塗布材部３ｂに設定することができる。この場合、処方された塗り薬の使用終了間際に、試用品が使用可能となるので、医薬品メーカにとっては広告効果が期待できる。また、患者にとっても、成分が異なる塗り薬の試用により医薬品選択の判断材料とすることができる。
【００２１】
また、この塗布具１は、リップスティックにも適用が可能である。例えば、商品本来の口紅材を塗布材本体部３ａに設定し、新製品の口紅材を試用塗布材部３ｂに設定することができる。この場合、製品本来の口紅の使用終了間際に新製品の口紅の試供品が使用可能となるので、ユーザにおける口紅の買い換えのタイミングに合わせて新製品の試供品が提示され、新製品の高い販促効果を得ることができる。
【００２２】
また、同様に、この塗布具１は、スティック状の糊の塗布具にも適用が可能である。
【００２３】
（第２実施形態）
図３に示す塗布具１０１は、前述の塗布具１における塗布材成形体３に代えて、塗布材成形体１０３を備えている。塗布材成形体１０３は、円柱形状の塗布材本体部１０３ａと試用塗布材部１０３ｂとが、筒軸線Ａ方向に二層に重ね合わされている。なお、塗布材成形体１０３が固定される台座部１１１には、前述の台座部１１における凹部１１ｄのような凹部が設けられてもよく、凹部は省略されてもよい。
【００２４】
このような塗布具１０１も、塗布具１と同様の作用効果を得ることができ、スティック状の塗り薬を塗布するための塗布具、リップスティック、スティック状の糊の塗布具等に適用することができる。この塗布具１０１において、前述の塗布具１と同一又は同等な構成については図面に同一符号を付し、重複する説明は省略する。
【００２５】
本発明は、前述した実施形態に限定されるものではない。例えば、駆動機構１０は、塗布材３，１０３を前後移動させる機構の一例であり、例えば、リップスティックに用いられている公知の駆動機構など、他の駆動機構を採用してもよい。
【符号の説明】
【００２６】
１，１０１…塗布具、３，１０３…塗布材成形体、３ａ，１０３ａ…塗布剤本体部（第１の塗布材部）、３ｂ，１０３ｂ…試用塗布材部（第２の塗布材部）、５…ケース（容器）、１０…塗布材駆動機構、１１，１１１…台座部、１１ｄ…凹部、Ａ…筒軸線。
【図１】
2010214700.tif 000003
【図２】
2010214700.tif 000004
【図３】
2010214700.tif 000005